(57)【要約】      （修正有）【課題】リハビリを行わしめる場合に、遊び感覚を取り入れながら、また、その中に目標を持たせることによって、患者に興趣を起こさせ、目標を達成させようとする意欲を惹起せしめ、機能回復に対する意欲の向上を図り、また、継続性を持続せしめる機能回復訓練器具を提供する。【解決手段】機能回復訓練器具１は、スライダ２と作動紐３とからなり、スライダにハの字状にガイド２ａ、２ｂを設け、このガイドに作動紐を挿通したものである。【選択図】図１
0003122836.tif 000002
【実用新案登録請求の範囲】
【請求項１】
機能回復訓練器具であって、スライダと作動紐とからなり、前記スライダにハの字状にガイドを設け、このガイドに作動紐を挿通したことを特徴とする機能回復訓練器具。
【請求項２】
請求項１記載の機能回復訓練器具において、ガイドが樹脂製の管状体であることを特徴とする機能回復訓練器具。
【請求項３】
請求項１、２記載の機能回復訓練器具において、スライダに動物、花、星座、幾何学模様、アニメのキャラクタ等を描写したことを特徴とする機能回復訓練器具。
【請求項４】
請求項１、２、３記載の機能回復訓練器具において、作動紐に握り手を取り付けたことを特徴とする機能回復訓練器具。
【請求項５】
請求項４記載の機能回復訓練器具において、作動紐に握り手に固定用の面状ファスナーを設けたことを特徴とする機能回復訓練器具。
【請求項６】
請求項４、５記載の機能回復訓練器具において、作動紐に握り手に樹脂ビーズを充填したことを特徴とする機能回復訓練器具。
【考案の詳細な説明】
【技術分野】
【０００１】  本考案は、機能回復訓練器具に関し、特に、廃用性症候群の一種として関節拘縮症における腕および／または手指における筋肉の萎縮を緩和させるために使用する機能回復訓練器具に関するものである。
【背景技術】
【０００２】  寝たきり状態の高齢者、あるいは、事故・病気等によって発症する麻痺、運動機能低下によって、十分に筋肉を使用することが不可能となり、身体の機能の低下、特に筋肉の萎縮状態を招来する所謂、廃用性症候群、その一種として関節拘縮症の存在が知られている。【０００３】  このような関節拘縮症を持つ患者に対しては、これを放置することによって症状の悪化、症状進行に伴うさらなる症状の悪化を招来することから、早期のリハビリによって症状の緩和、あるいは、機能回復のリハビリの実施が望まれる。関節拘縮症にあっては、寝た姿勢での重力のはたらきによって拘縮の進行が生じることから、簡単には患者に座位姿勢を採らせることにより、症状の進行を緩和し、あるいはまた、積極的な機能回復を目的として腕を前後に振る腕振り運動を行わせることによって、その機能回復が試みられている。特に、後者のケースにあっては、頭上に設置された滑車を使用し、これにロープを巻回して、このロープの両端を把持し、腕を交互に前後あるいは上下させるプーリー運動と称するリハビリトレーニングが提案され、実施されている。【０００４】  しかしながら、前述するプーリー運動によるリハビリを実施する場合にあっては、患者の近傍に前述する滑車を設置し、ロープを巻回して準備する必要があり、煩雑なものであることに加えて、リハビリを行う患者側からすれば、前述するプーリー運動が極めて単調な反復動作であることから、面白みがないことから飽きやすく、意欲を持って長期間（時間）に亘って継続することができないことから、結果として治癒効果が現れにくく、また、達成感を伴わないために、リハビリに対する意欲の向上等の心身機能に対する改善も期待することができない。
【考案の開示】
【考案が解決しようとする課題】
【０００５】  本考案は、前述の諸点に鑑みなされたもので、プーリー運動によるリハビリを行わしめる場合に、遊び感覚を取り入れながら、また、その中に目標を持たせることによって、患者に興趣を起こさせ、目標を達成させようとする意欲を惹起せしめ、機能回復に対する意欲の向上を図り、また、継続性を持続せしめる機能回復訓練器具を提供することである。
【課題を解決するための手段】
【０００６】  前述の課題を解決するための本考案に係る機能回復訓練器具の構成は、機能回復訓練器具において、スライダと作動紐とからなり、前記スライダにハの字状にガイドを設け、このガイドに作動紐を挿通した点に存する。【０００７】  また、本考案に係る機能回復訓練器具の構成は、ガイドが樹脂製の管状体である点に存する。【０００８】  さらに、本考案に係る機能回復訓練器具の構成は、スライダに動物、花、星座、幾何学模様、アニメのキャラクタ等を描写した点に存する。【０００９】  さらにまた、本考案に係る機能回復訓練器具の構成は、作動紐に握り手を取り付けた点に存する。【００１０】  加えて、本考案に係る機能回復訓練器具の構成は、作動紐に握り手に固定用の面状ファスナーを設けた点に存する。【００１１】  さらにまた、本考案に係る機能回復訓練器具の構成は、作動紐に設けられた握り手に樹脂ビーズを充填した点に存する。
【考案の効果】
【００１２】  本考案に係る機能回復訓練器具によれば、スライダと作動紐とから構成され、作動紐をスライダにハ字状に装着するという極めて簡単な構成であり、各別の装置を必要とせず、手軽にリハビリ実施が可能となることは勿論、腕を交互に振るという単調な反復運動のリハビリにあっても、スライダが前進することから、スライダの速度、スライダの終端への到達時間等に関心が移行し、興味を喪失することがなく継続的な使用を行わせることが可能となり、この結果、リハビリを行おうとする意欲、表情の主な変化、前向きで、かつ、積極的な発言姿勢へとつながり、廃用性症候群の一種としての関節拘縮症の罹患患者に対する改善効果に絶大なものがある。
【実施例】
【００１３】  以下、図示の実施例に基づいて本考案を説明する。本考案に係る機能回復訓練器具１は、スライダ２と、このスライダ２を作動させるための作動紐３から構成される。スライダ２は平板状、球状、矩形状等の種々の形状を採用することが可能で、また、その材質においても、木質、紙質（厚紙）、プラスチック樹脂、金属製薄板等を採用しうるもので、この実施例においては、厚紙を所要の形状に裁断したものを用い、その使用時において、スライダ２の表面に、動物、花、星座、幾何学模様、アニメのキャラクタ等を描写するのが望ましい。【００１４】  スライダ２に一対のガイド２ａ、２ｂを、両ガイド２ａ、２ｂのなす角度が約１２０度程度の略ハの字状となるように配置するのが良いが、この角度が大きすぎる場合にはスムースな運動が行えず、また、角度が狭小に過ぎればスライダ２の移動がなされなくなる蛍光を有することから、ガイド２ａ、２ｂとして使用する材料、後述する作動紐３等の関係をお考慮して試行して決定すればよい。前記ガイド２ａ、２ｂは樹脂製の管状体で構成され、スライダ２に対して接着剤により固定されている。【００１５】  さらに、前記ガイド２ａ、２ｂにはスライダ２を案内し、かつ、移動せしめるための作動紐３が挿通されており、実施例における作動紐３は一本の紐であって、前記ガイド２ａ、２ｂの一方のガイド２ａを挿通してループ３ａを形成しつつ他方のガイド２ｂに挿通されており、この作動紐３の端末には、作動紐３を操作するための握り手４を固着するのが望ましい。【００１６】  この握り手４は、関節拘縮症に罹患した患者の手指にあっては萎縮した状態であることから、作動紐３を握る動作を容易にするためのものであって、図示を省略したが、綿、粒状物等を充填した枕状に形成する。充填物としては、特に、樹脂ビーズを充填することによって、握った状態において、手のひらから刺激を受けることからさらなるリハビリの改善効果が期待できることから推奨される。【００１７】  さらに、握り手４には、機能回復訓練器具１を使用してのリハビリ運動中に手指からの脱落を防止するために、固定バンド５を設けることが推奨される。固定バンド５の一端を握り手４に縫着し、固定バンド５の他端側の内面に雄または雌の面状ファスナー６を固定し、他方、握り手４における前記固定バンド５の面状ファスナー６を止着する位置に雌または雄の面状ファスナー７を固着し、さらに、親指以外の４指を挿入する指通し８を設けるのが望ましい。【００１８】  前述の構成を有する本考案に係る機能回復訓練器具１を使用するに際し、作動紐３のループ３ａを適宜の高さに設置された掛止部に挿入して掛ける。リハビリを行なう者は、作動紐３の端部を握り、あるいは、作動紐３に握り手４を取り付けている場合には、握り手４を握るとともに、握り手４からの離脱を防止するために固定バンド５により確りと固定する。【００１９】  この状態において、スライダ２を手元に位置せしめ、しかる後、腕を交互に前後あるいは上下に反復して前後あるいは上下運動させると、作動紐３は交互に往復運動するが、この時、作動紐３は交互にガイド２ａ、２ｂの内角側を擦過し、この結果、スライダ２に推進力を生起することとなって、スライダ２は���動紐３を案内として移動する。スライダ２が前方に到達したならば、スライダを手元に戻した後、再度、運動を行う。【００２０】  本考案に係る機能回復訓練器具１の使用効果を実証するために、介護施設の協力を得て、表に例示する関節拘縮症患者についてリハビリを実施した。機能回復訓練器具１としては、スライダ２として厚紙を使用して製作した前述の実施例に記載する構成とし、スライダ２の表面にキャラクタを描写したものである。【００２１】
【表１】
0003122836.tif 000003
【００２２】  リハビリに際しては、原則として一日おきにリハビリを実施することとし、作動紐３の手元を始点とし、また、作動紐３を掛止しているところを到達点として、始点から到達点に達するまでの時間を測定することとし、その結果をグラフとして図４に示す。【００２３】  この結果から明らかなように、患者Ａ、Ｂ、Ｃの何れの患者にあっても最初はぎこちない動き（動作）のため時間を要しているが、２回目から時間短縮が認められ、その後、リハビリの回数を重ねることによって到達時間の短縮が図られるとともに、その状態が維持されていることが理解され、言い換えれば、作動紐３を牽引する単純な反復運動によっても継続することによって運動機能の改善、あるいは、運動機能の回復されていることが理解され、リハビリを継続することによってさらなる効果を得ることが期待できる。【００２４】  他方では、リハビリの間隔をおく（休む）と運動機能が元に戻る現象を呈し、リハビリ再開すると改善効果が再現することから、継続的なリハビリが望ましく、さらに、この種リハビリが単純な運動での繰り返しであるだけに継続しがたいところ、データに見られるように、継続してリハビリを実施していることから、その意志を惹起する本考案の効果が判明する。【００２５】  また、運動効果とは別に、リハビリ中における患者の表情が柔和なものとなり、運動中においては掛け声をかけながら力強く作動紐３を牽引する姿が見られる。さらに、それぞれの患者に感想を聞くと、リハビリの時間を楽しみにしており、毎日でも行ないたいとの希望がもらされるなど、意欲の向上が図られている。これは、スライダ２にキャラクタ等を描写することによって、当該キャラクタの移動を目にしつつ運動することにより、興趣をそぐことなく、また、運動による効果を確認することによる意欲の向上による効果と認識できた。【００２６】  本考案に係る機能回復訓練器具として前述の実施例に限定されず種々の変更を加えうるものであって、例えば、前述の実施例にあっては、患者に対する肉体的な負担を軽減することを意図して、軽量化するためにスライダ２として厚紙で構成したが、患者の機能回復を考慮しながら、スライダ２の重さを調整すること、例えば、材質を変更するとか、あるいは、スライダ２に付加的な重さを加えること、あるいは、スライダ２に面状ファスナーを取り付けておき、相互に複数枚を重ねることも有効なものと考えられる。【００２７】  さらに、実施例においてガイド２ａ、２ｂを樹脂性の管状体で構成したが、このガイド２ａ、２ｂは作動紐をスライダ２にたいしてハの字状に案内するものであれば良く、例えば、スライダを発泡スチロール製の球体する場合、直接にガイド孔を穿孔することも可能なものであり、また、ローラによって作動紐を案内させることも可能なものである。
【図面の簡単な説明】
【００２８】
【図１】本考案に係る機能回復訓練器具の正面図
【図２】本考案に係る機能回復訓練器具の背面図
【図３】本考案に係る機能回復訓練器具の斜視図で、（ｂ）は図中Ａ−Ａ線の部分拡大断面図
【図４】リハビリの効果を示すデータであって、（ａ）は患者Ａについて、（ｂ）は患者Ｂについて、また、（ｃ）は患者Ｃのものである。
【符号の説明】
【００２９】    １：機能回復訓練器具
２：スライダ
２ａ、２ｂ：ガイド
３：作動紐
４：握り手
５：固定バンド
６、７：面状ファスナー
８：指通し
【図１】
0003122836.tif 000004
【図２】
0003122836.tif 000005
【図３】
0003122836.tif 000006
【図４】
0003122836.tif 000007